(57)【要約】【課題】一旦設定された録画予約等の予約情報が番組等を受信できないことにより、録画し損ねる事態を防止し、確実に録画を確保する。【解決手段】携帯機器１００は、所定時間内に開始する録画予約がある場合、受信エリアマップデータベース１０７を参照して録画時間帯に録画ＣＨの放送を受信できるか判定して、受信できないときは、インターネット１０００を介して自宅ＰＣ２００に録画予約データを転送する。【選択図】図１
2009081558.tif 000002
【特許請求の範囲】
【請求項１】
所定時間内に開始する録画予約がある場合、エリアごとの録画ＣＨの放送の受信の可否をマッッピングしたデータベースを参照して録画時間帯に録画ＣＨの放送を受信できるか判定して、受信できないときは、他の録画可能な装置に録画予約データを転送することを特徴とする通信装置。
【請求項２】
現時点で録画ＣＨの放送を受信できるか判定して、受信できないときは、他の録画可能な装置に録画予約データを転送することを特徴とする通信装置。
【請求項３】
所定時間内に開始する録画予約があるか否かを予約リストデータベースを参照して判定する手段と、
ルート探索手段により検索されたルート情報を確認し、ルート案内中であるか否かを判定する手段と、
エリアごとの録画ＣＨの放送の受信の可否をマッッピングしたデータベースを参照して録画時間帯に録画ＣＨの放送を受信できるか否かを判定する手段と、
受信できない場合、データ送信手段より他の録画可能な装置に録画予約データを転送する手段と
を備えることを特徴とする通信装置。
【請求項４】
現時点で録画ＣＨの放送を受信できるか否かを判定する手段と、
受信できない場合、データ送信手段より他の録画可能な装置に録画予約データを転送する手段と
を備えることを特徴とする通信装置。
【請求項５】
通信装置は、所定時間内に開始する録画予約がある場合、エリアごとの録画ＣＨの放送の受信の可否をマッッピングしたデータベースを参照して録画時間帯に録画ＣＨの放送を受信できるか判定して、受信できないときは、他の録画可能な装置に録画予約データを転送することを特徴とする予約転送システム。
【請求項６】
通信装置は、現時点で録画ＣＨの放送を受信できるか判定して、受信できないときは、他の録画可能な装置に録画予約データを転送することを特徴とする予約転送システム。
【請求項７】
通信装置は、所定時間内に開始する録画予約があるか否かを予約リストデータベースを参照して判定する手段と、
ルート探索手段により検索されたルート情報を確認し、ルート案内中であるか否かを判定する手段と、
エリアごとの録画ＣＨの放送の受信の可否をマッッピングしたデータベースを参照して録画時間帯に録画ＣＨの放送を受信できるか否かを判定する手段と、
受信できない場合、データ送信手段より他の録画可能な装置に録画予約データを転送する手段とを備え、
前記他の録画可能な装置は、前記通信装置から転送された録画予約データに基づいて録画する手段を備えることを特徴とする予約転送システム。
【請求項８】
通信装置は、現時点で録画ＣＨの放送を受信できるか否かを判定する手段と、
受信できない場合、データ送信手段より他の録画可能な装置に録画予約データを転送する手段とを備え、
前記他の録画可能な装置は、前記通信装置から転送された録画予約データに基づいて録画する手段を備えることを特徴とする予約転送システム。
【請求項９】
コンピュータに、所定時間内に開始する録画予約がある場合、エリアごとの録画ＣＨの放送の受信の可否をマッッピングしたデータベースを参照して録画時間帯に録画ＣＨの放送を受信できるか判定して、受信できないときは、他の録画可能な装置に録画予約データを転送する処理を実行させることを特徴とするプログラム。
【請求項１０】
コンピュータに、現時点で録画ＣＨの放送を受信できるか判定して、受信できないときは、他の録画可能な装置に録画予約データを転送する処理を実行させることを特徴とするプログラム。
【請求項１１】
コンピュータに、所定時間内に開始する録画予約があるか否かを予約リストデータベースを参照して判定するステップと、
検索されたルート情報を確認し、ルート案内中であるか否かを判定するステップと、
エリアごとの録画ＣＨの放送の受信の可否をマッッピングしたデータベースを参照して録画時間帯に録画ＣＨの放送を受信できるか否かを判定するステップと、
受信できない場合、他の録画可能な装置に録画予約データを転送するステップと
を実行させることを特徴とするプログラム。
【請求項１２】
コンピュータに、現時点で録画ＣＨの放送を受信できるか否かを判定するステップと、
受信できない場合、データ送信手段より他の録画可能な装置に録画予約データを転送するステップと
を実行させることを特徴とするプログラム。
【発明の詳細な説明】
【技術分野】
【０００１】
本発明は、一旦設定された録画予約等の予約情報が受信できないことに伴う不都合を回避する技術に関する。
【背景技術】
【０００２】
テレビチューナとＧＰＳを内蔵した携帯情報機器等の通信装置において、通常は自宅でこの情報機器を使いテレビ番組等を録画し、移動先で視聴する。
【０００３】
しかし、録画予約が入っているにも関わらず、外出先にこの情報機器を持ち出したときに、外出先が録画予約番組を視聴できないエリアの場合、録画し損ねる問題があった。すなわち、ユーザは一旦録画予約等の予約情報を適切に設定しているので録画が実行されるものと安心しているが、後に録画を再生しようとして時に実際は録画されていないことに気付き落胆するという状況があった。
【０００４】
ここで、現在位置情報をもとにチャンネルプリセットを受信感度の良い別のエリアに変更して視聴を継続する技術がある。例えば、ＮＨＫ東京からＮＨＫ静岡へ変更することで番組視聴を継続する。
【０００５】
また、放送番組収録システムは、車両に搭載される指示装置と、ユーザの自宅に固定設置された固定装置とを有して構成され、指示装置の制御回路は、車載テレビに設定されたチャンネルを検出して、チャンネル情報を生成し、操作スイッチの操作もしくは車両の速度があるしきい値以上に検出された場合に、制御回路は、無線通信機を介してチャンネル情報を送信し、送信されたチャンネル情報は収録制御装置により録画装置に適応したチャンネルに変換され、収録制御装置は録画装置に録画させ、録画装置は、アンテナからＳ／Ｎのよい電波を受信して録画することで、ユーザの簡単な操作のみで移動体で受信している放送番組を収録可能とし、収録内容の画質や音質も向上することができる技術が提案されている（例えば、特許文献１参照）。
【特許文献１】特開２００２−３００５０２号公報
【発明の開示】
【発明が解決しようとする課題】
【０００６】
しかしながら、上述の関連技術では、例えば、東京ＭＸテレビやテレビ神奈川など一部地域でしか受信できない放送局の場合、視聴できなく、録画し損ねる問題を解決できない。
【０００７】
また、トンネル、高架下、ビルの谷間等や天気の状態等により受信感度が低い場合にも視聴できなく、録画し損ねる問題を解決できない。
【０００８】
本来、受信可能な自宅で録画することを前提とするため、外出時には受信不可能なエリアに行く可能性があるので、家の玄関を出たときに、自動的に自宅ＰＣに予約転送すれば確実であるが、予約データが完全に転送され、携帯情報機器から消滅してしまうと、その外出中に携帯情報機器で録画を再生して楽しむことはできない。また、自動的に自宅ＰＣに予約転送するのでは頻繁に出入りを繰り返す際には無駄なデータの送受信が発生して種々のコスト等が発生する。
【０００９】
本発明は、以上のような課題を解決するためになされたもので、一旦設定された録画予約等の予約情報が番組等を受信できないことにより、録画し損ねる事態を防止し、確実に録画を確保する通信装置、予約転送システム、およびプログラムを提供することを目的とする。
【課題を解決するための手段】
【００１０】
本発明の第１の通信装置は、所定時間内に開始する録画予約がある場合、エリアごとの録画ＣＨの放送の受信の可否をマッッピングしたデータベースを参照して録画時間帯に録画ＣＨの放送を受信できるか判定して、受信できないときは、他の録画可能な装置に録画予約データを転送することを特徴とする。
【００１１】
また、本発明の第２の通信装置は、現時点で録画ＣＨの放送を受信できるか判定して、受信できないときは、他の録画可能な装置に録画予約データを転送することを特徴とする。
【００１２】
また、本発明の第１の予約転送システムは、通信装置は、所定時間内に開始する録画予約がある場合、エリアごとの録画ＣＨの放送の受信の可否をマッッピングしたデータベースを参照して録画時間帯に録画ＣＨの放送を受信できるか判定して、受信できないときは、他の録画可能な装置に録画予約データを転送することを特徴とする。
【００１３】
また、本発明の第２の予約転送システムは、通信装置は、現時点で録画ＣＨの放送を受信できるか判定して、受信できないときは、他の録画可能な装置に録画予約データを転送することを特徴とする。
【００１４】
また、本発明の第１のプログラムは、コンピュータに、所定時間内に開始する録画予約がある場合、エリアごとの録画ＣＨの放送の受信の可否をマッッピングしたデータベースを参照して録画時間帯に録画ＣＨの放送を受信できるか判定して、受信できないときは、他の録画可能な装置に録画予約データを転送する処理を実行させることを特徴とする。
【００１５】
また、本発明の第２のプログラムは、コンピュータに、現時点で録画ＣＨの放送を受信できるか判定して、受信できないときは、他の録画可能な装置に録画予約データを転送する処理を実行させることを特徴とする。
【発明の効果】
【００１６】
本発明によれば、一旦設定された録画予約等の予約情報が番組等を受信できないことにより、録画し損ねる事態を防止し、確実に録画を確保するができる。
【発明を実施するための最良の形態】
【００１７】
以下、本発明の実施の形態について図面を参照して詳細に説明する。図１に示す本実施の形態における予約転送システムは、携帯機器１００と自宅ＰＣ２００とがインターネット１０００を介して接続されて構成されている。
【００１８】
携帯機器１００は、例えば、携帯電話機等の情報処理装置であり、任意の通信装置であってよい。
【００１９】
自宅ＰＣ２００は、自宅等に設置される録画機能およびその録画予約機能を有するパーソナル・コンピュータ等の情報処理装置である。
【００２０】
インターネット１０００はネットワークの一例であり、有線・無線を問わず任意の回線でよい。
【００２１】
携帯機器１００は、アンテナ１０１と、映像受信部１０２と、映像表示部１０３と、受信感度判定部１０４と、予約管理部１０５と、予約設定部１０６と、受信エリアマップデータベース１０７と、予約リストデータベース１０８と、データ送信部１０９と、ルート管理部１１０と、ルート探索部１１１と、ＧＰＳ１１２とを備えている。
【００２２】
映像受信部１０２はアンテナ１０１を用いて映像を受信して、映像表示部１０３に受信した映像を表示させる。
【００２３】
受信感度判定部１０４は、映像受信部１０２がアンテナ１０１を用いて映像を受信する感度を判定する。受信感度が悪いと綺麗な正常の映像を取得することができない。
【００２４】
予約管理部１０５は、予約設定部１０６からの番組等の録画予約を予約リストデータベース１０８を利用して管理する。ここで、予約は例えばＴＶ番組についてなされるがこれに限定されず、文字放送、ＣＭ等のテキスト、静止画、動画、音声等のすべてのデータを含む。また、予約管理部１０５は、受信エリアマップデータベース１０７を参照して、予約された番組等の録画が可能か判定し、可能であると判断したとき以外は、データ送信部１０９よりインターネット１０００を介して自宅ＰＣ２００に録画予約データを転送する。
【００２５】
ルート管理部１１０は、ルート探索部１１１により検索されたルートと、ＧＰＳ１１２からの現在位置情報により現時点での自機の位置とルートを把握する。ルート探索部１１１は例えばカーナビゲーション・システムと連携して実現されてもよい。
【００２６】
自宅ＰＣ２００は、アンテナ２０１と、映像受信部２０２と、映像表示部２０３と、予約管理部２０４と、データ受信部２０５とを備えている。
【００２７】
映像受信部２０２はアンテナ２０１を用いて映像を受信して、映像表示部２０３に受信した映像を表示させる。予約管理部２０４は、携帯機器１００のデータ送信部１０９よりインターネット１０００を介して転送されてきた録画予約データをデータ受信部２０５で受信して管理する。電子メール等を利用してＣＳＶ形式のデータから予約情報を取り出し、ＨＤＤ録画機能等を用いて管理・実行する。
【００２８】
本システムは、録画予約時間の一定時間前になるとＧＰＳにより現在位置を確認し、携帯機器１００が録画予約番組を受信不可能なエリアにいたり、カーナビのような目的地設定により、録画時間帯には受信可能エリア外に出る可能性がある場合には、自宅ＰＣ２００に録画予約情報を自動送信し録画を代行させる機能を有している。なお、録画開始時刻や録画中の時刻における予定存在地は、電車乗り換え検索の結果データや、スケジュール管理帳のデータや、ＥＴＣシステムの位置データ等に基づいて予測されてもよい。
【００２９】
図２には、受信エリアマップデータベース１０７に格納される受信エリアマップの更新について説明する図を示す。ここでは、例えば図３に示すような受信可能エリアマップを構築する。
【００３０】
初期状態では、県境や市町村単位で放送エリアを区分けしたマップを用いる。例えば、２３区内であれば「東京」、府中市や国立市であれば「多摩」エリアといった具合である。
【００３１】
このマップを実際の受信感度によって更新する。
携帯機器１００は定期的に受信感度をデータ送受信部１１４によりサービスマップを管理しているサーバ３００に送信する。
【００３２】
送信する際にはＧＰＳ１１２から取得した緯度経度情報や時刻、天気情報などを付加して送信する。天気情報は、降雨判定部１１３で、例えば、連携する車のワイパーの動作状況を監視するシステムからの情報により降雨の有無を判断して決定する。
【００３３】
時刻や天気によって受信感度が異なる地域では、過去の累積情報に基づく時間帯別、天候別のサービスマップを用意し、受信データに基づき、更新する。
【００３４】
マップは一定間隔で細分化しておき、受信可能エリアにもかかわらず受信できなかった
場合には、細分化したエリアを受信不可に変更する。逆に受信不可エリアだったにもかかわらず、受信できる場合には、受信可能エリアに変更してもよい。多くのユーザからデータを受信していくことで、より正確なサービスマップが構築される。
【００３５】
携帯機器１００の予約管理部１０５は、受信エリアマップデータベース１０７を参照して、録画予約時間帯の時刻や天候をもとに該当する放送エリアマップを確認することで予約された番組等の受信可否を判断して、録画が可能か判定し、可能であると判断したとき以外は、データ送信部１０９より自宅ＰＣ２００に録画予約データを転送する。この放送エリアマップは都度ダウンロードして携帯機器１００にもっても良いし、所定のサーバに接続してその場で確認しても良い。
【００３６】
以下、図面を参照して本実施の形態の動作を詳細に説明する。
まず、図４を参照して、位置情報付き受信感度情報生成フローについて説明する。
【００３７】
携帯機器１００の受信感度判定部１０４は、映像受信部１０２がアンテナ１０１を用いて映像を受信する感度を判定する（Ｓ４０１）。受信感度が悪いと綺麗な正常の映像を取得することができない。
【００３８】
同時に、携帯機器１００の受信感度判定部１０４は、その時の時刻情報を所定のタイマより取得する（Ｓ４０２）。
【００３９】
また、携帯機器１００の受信感度判定部１０４は、ＧＰＳ１１２を利用して自機の現在地情報を取得する（Ｓ４０３）。
【００４０】
また、携帯機器１００の受信感度判定部１０４は、降雨判定部１１３を利用してワイパーの動作状況を取得する（Ｓ４０４）。これにより一定時間ワイパーが動作しているときは雨天、そうでないときは雨天ではないと判断する。
【００４１】
携帯機器１００の受信感度判定部１０４は、受信エリアマップＤＢ１０７にこれらのデータを送信し（Ｓ４０５）、受信エリアマップＤＢ１０７ではこれらのデータを対応付けて記憶し、マップデータを更新する。
【００４２】
なお、携帯機器１００の受信感度判定部１０４が行った処理はＣＰＵ等の制御部により実現されればどの部分で行ってもよく、また、受信エリアマップＤＢ１０７のデータは外部も含めてどこで管理されていてもよい。
【００４３】
次に、図５を参照して、録画予約転送処理フローについて説明する。
携帯機器１００の予約管理部１０５は、予約設定部１０６からの番組等の録画予約を予約リストデータベース１０８を利用して管理している。まず、携帯機器１００の予約管理部１０５は、所定のＸ分以内に開始する録画予約があるか否かを予約リストデータベース１０８を参照して判定する（Ｓ５０１）。なお、Ｘ分とは例えば３０分であり、録画予約データの転送処理に十分な時間と、さらなる移動の可能性を比較衡量して決定される。
【００４４】
次に、携帯機器１００の予約管理部１０５は、録画予約がある場合（Ｓ５０１／Ｙｅｓ）、録画予約番組を確認する（Ｓ５０２）。これにより録画予約番組がエリア限定放送であるか否か等を把握する。
【００４５】
そして、携帯機器１００のルート管理部１１０は、ルート探索部１１１により検索されたルート情報を確認し、ルート案内中であるか否かを判定する（Ｓ５０３、Ｓ５０４）。
【００４６】
ルート案内中である場合（Ｓ５０４／Ｙｅｓ）、携帯機器１００の予約管理部１０５は、受信エリアマップデータベース１０７を参照して録画時間帯に録画ＣＨの放送を受信できるか否かを判定する（Ｓ５０５）。
【００４７】
録画時間帯に録画ＣＨの放送を受信できない場合（Ｓ５０５／Ｎｏ）、携帯機器１００の予約管理部１０５は、データ送信部１０９よりインターネット１０００を介して自宅ＰＣ２００に録画予約データを転送する（Ｓ５０６）。これにより、携帯機器１００が録画時間帯に録画ＣＨの放送を受信できないエリアにいても自宅ＰＣ２００で録画予約がなされるので予約していたのに実際には録画できなかったという事態を回避することができる。また、自宅ＰＣ２００で録画されたデータは、外出中のユーザの携帯機器１００に転送されることであってもよい。
【００４８】
録画時間帯に録画ＣＨの放送を受信できる場合（Ｓ５０５／Ｙｅｓ）、そのまま携帯機器１００で録画される（Ｓ５０７）。
【００４９】
一方、ルート案内中でない場合（Ｓ５０４／Ｎｏ）、携帯機器１００のルート管理部１１０は、ＧＰＳ１１２からの現在位置情報により現時点での自機の位置である現在地と一定時間内の移動軌跡を確認すると共に受信エリアマップデータベース１０７を参照して受信エリアの境界との距離を確認する（Ｓ５０８）。
【００５０】
そして、携帯機器１００の予約管理部１０５は、受信感度判定部１０４で現時点で録画ＣＨの放送を受信できるか否かを判定する（Ｓ５０９）。
【００５１】
現時点で録画ＣＨの放送を受信できない場合や受信はできているが受信感度が著しく悪い場合や受信エリアの境界に近くに居て、直前の移動軌跡からエリアの外に出てしまい録画に失敗する可能性が高い場合には（Ｓ５０９／Ｎｏ）、携帯機器１００の予約管理部１０５は、データ送信部１０９よりインターネット１０００を介して自宅ＰＣ２００に録画予約データを転送する（Ｓ５０６）。上記したとおり、これにより、携帯機器１００が録画時間帯に録画ＣＨの放送を受信できないエリアにいても自宅ＰＣ２００で録画予約がなされるので予約していたのに実際には録画できなかったという事態を回避することができる。また、自宅ＰＣ２００で録画されたデータは、外出中のユーザの携帯機器１００に転送されることであってもよいのも同様である。
【００５２】
現時点で録画ＣＨの放送を受信できる場合（Ｓ５０９／Ｙｅｓ）、そのまま携帯機器１００で録画される（Ｓ５０７）。
【００５３】
本実施の形態によれば、外出先から自宅ＰＣに予約設定することができるのみの関連技術と異なり、受信感度に応じて、ないしは、受信感度を予測して撮り逃しを防止することができる。
【００５４】
なお、上述する各実施の形態は、本発明の好適な実施の形態であり、本発明の要旨を逸脱しない範囲内において種々変更実施が可能である。例えば、携帯機器１００、自宅ＰＣ２００の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００５５】
【図１】本発明の実施の形態に係るシステム構成を示す図である。
【図２】本発明の実施の形態に係る受信エリアの更新を説明する図である。
【図３】本発明の実施の形態に係る受信エリアマップの一例を示す図である。
【図４】本発明の実施の形態に係る受信感度情報生成処理のフローチャートである。
【図５】本発明の実施の形態に係る録画予約転送処理のフローチャートである。
【符号の説明】
【００５６】
１００    携帯機器
１０１    アンテナ
１０２    映像受信部
１０３    映像表示部
１０４    受信感度判定部
１０５    予約管理部
１０６    予約設定部
１０７    マップデータベース
１０８    予約リストデータベース
１０９    データ送信部
１１０    ルート管理部
１１１    ルート探索部
１１２    ＧＰＳ
２００    自宅ＰＣ
２０１    アンテナ
２０２    映像受信部
２０３    映像表示部
２０４    予約管理部
２０５    データ受信部
１０００    インターネット
【図１】
2009081558.tif 000003
【図２】
2009081558.tif 000004
【図３】
2009081558.tif 000005
【図４】
2009081558.tif 000006
【図５】
2009081558.tif 000007